(57)【特許請求の範囲】
【請求項１】
釣り用上着本体のウエストサイズを調節する調節部材を設けた釣り用上着であって、前記調節部材は伸縮自在で、前記調節部材は、前記本体の内側にウエストサイズの調節方向に沿って取り付けられてなり、前記調節部材における前記調節方向の伸縮を可能とすべく、前記調節方向に沿った２つの取付部間において、前記本体と前記調節部材とが離反し、且つ、その両取付部間における前記調節部材の自然長の長さよりも、前記両取付部間における前記本体の長さが長くしてなり、前記本体は、左右の前身頃と、該両前身頃間に取り付けられた後身頃とからなり、前記本体の前記後身頃の内側には、前記後身頃と離反し、且つ、前記左右の前身頃に取り付けられた網状の裏地が設けられ、該裏地に前記調節部材が取り付けられ、前記調節部材は、前記裏地が調節方向に撓んだ状態で取り付けられてなることを特徴とする釣り用上着。
【請求項２】
前記釣り用上着本体の後身頃は、前記両前身頃間に着脱自在に取り付けられてなる請求項１に記載の釣り用上着。
【発明の詳細な説明】
【０００１】
【発明の属する技術分野】
本発明は、ウエストサイズが調節可能なジャケット、ブルゾンおよびベスト等の釣り用上着に関する。
【０００２】
【従来の技術】
従来の釣り用上着について、図６に示す釣り用ベストを例にとって説明する。同図において、５０は釣り用ベスト本体であり、該本体５０は、左右の前身頃５１と後身頃５２とが、両側の脇の部分で布状体５３で各々連結されてなる。５４は前身頃５１の外側の上部、下部にそれぞれ設けられた複数のポケット、５５は本体５０の裾に沿って設けられた紐挿通部であり、該紐挿通部５５にゴム紐５６が挿通され、ゴム紐５６の両端は紐挿通部５５の両端部に固定されている。５７はストッパであり、紐挿通部５５に形成された２個の紐引出し孔（図示せず）から引き出されたゴム紐５６に設けられ、ゴム紐５６の所望の位置で係止するロック機構を有するとともに、該ロック機構を解除する機構も有している。
【０００３】
そして、通常、図６に示すように、釣り用ベストの裾は絞られておらず、ストッパ５７に設けられたロック機構により、ストッパ５７が引き出されたゴム紐５６に係止した状態になっている。
つぎに、釣り用ベストを着用する場合、ストッパ５７のロックを解除し、図７に示すように、ゴム紐５６を引っ張って釣り用ベストの裾を絞り、所望の位置でストッパ５７をロックし、釣り用ベストのウエストサイズの調節を行っている。
【０００４】
【発明が解決しようとする課題】
しかしながら、従来の前記釣り用ベストの場合、ウエストサイズの調節を行う際、ゴム紐５６を引っ張って釣り用ベストの裾を生地ごと絞るため、図７に示すように、釣り用ベスト本体５０の裾に皺が生じてしまうという問題がある。
【０００５】
而して、本発明は上記問題点に鑑み、ウエストサイズの調節によって、皺が生じることない釣り用上着を提供することを課題とするものである。
【０００６】
【課題を解決するための手段】
本発明は上記課題を解決するために以下の手段を講じたものであり、本発明に係る釣り用上着は、釣り用上着本体のウエストサイズを調節する調節部材を設けた釣り用上着であって、前記調節部材は伸縮自在で、前記調節部材は、前記本体の内側にウエストサイズの調節方向に沿って取り付けられてなり、前記調節部材における前記調節方向の伸縮を可能とすべく、前記調節方向に沿った２つの取付部間において、前記本体と前記調節部材とが離反し、且つ、その両取付部間における前記調節部材の自然長の長さよりも、前記両取付部間における前記本体の長さを長くしてなり、前記本体は、左右の前身頃と、該両前身頃間に取り付けられた後身頃とからなり、前記本体の前記後身頃の内側には、前記後身頃と離反し、且つ、前記左右の前身頃に取り付けられた網状の裏地が設けられ、該裏地に前記調節部材が取り付けられ、前記調節部材は、前記裏地が調節方向に撓んだ状態で取り付けられたものである。
【０００７】
したがって、調節部材が、ウエストサイズの調節方向に沿った取付部間において釣り用上着本体と離反し、且つ、その両取付部間における調節部材の自然長の長さよりも、両取付部間における釣り用上着本体の長さを長くているため、両取付部間において調節部材がウエストサイズの調節方向に伸縮できることとなる。よって、着用すると、調節部材が着用者のウエストサイズに伴って自在に伸縮し、本体のウエストサイズが自動的に調節される。また、調節部材が、ウエストサイズの調節方向に沿った取付部間において釣り用上着本体と離反しているため、ウエストサイズの調節による皺が本体に生じない。また、左右の前身頃に取り付けた裏地を、前記両前身頃間に取り付けられた後身頃と離反して設け、この裏地を調節方向に撓ませた状態で、調節部材を取り付けたため、裏地が調節部材と一体に伸縮することによってウエストサイズの調節が行える。よって、着用すると、調節部材が着用者の腰に当接した状態で伸縮し、左右の前身頃に取り付けられた裏地が着用者の体を前後から包み込むようにフィットする。この際、前記裏地は網状であり、しかも、釣り用上着本体の後身頃の内側に、後身頃と離反して設けられているため、着用者の体を前後から包み込むようにフィットするにもかかわらず、後身頃、裏地間の空気の流通がよくなる。
【００１０】
特に、請求項２記載の釣り用上着は、釣り用上着本体の後身頃を、釣り用上着本体の両前身頃間に着脱自在に取り付けたため、後身頃を両前身頃から取り外すことによって通気性がより向上する。
【００１１】
【発明の実施の形態】
＜第一実施形態＞
以下、第一実施形態につき、釣り用ベストを例にとって図１から図３を参照して説明する。それらの図において、１は釣り用ベスト本体、２は本体１の左右の前身頃、３は両前身頃２間に取り付けられた後身頃、４は左右の前身頃２に取り付けられたファスナー、５ａ、５ｂは本体１の両側の脇の部分および肩の後側部分に設けられた布状体であり、両布状体５ａ、５ｂによって左右の前身頃２と後身頃３とが各々連結されている。６ａは左右の前身頃２に縫着された網状の前裏地、６ｂは両前裏地６ａに縫着された網状の後裏地であり、本体１の後身頃３と離反し、且つ、後身頃３の内側に位置している。
【００１２】
７は平ゴムからなる長尺の伸縮自在の調節部材であり、調節部材７は、後裏地６ｂの裾に、後裏地６ｂが調節方向に撓んだ状態で縫着されている。そして、調節部材７の両端部は左右の前裏地６ａと後裏地６ｂの境界部分にそれぞれ縫着され、この両境界部分の取付部８は、本体１のウエストサイズの調節方向に沿って設けられている。また、調節部材７は、前記調節方向に伸縮できるように、前記両取付部８間において、後身頃３と離反しており、その両取付部８間における調節部材７の自然長の長さよりも、両取付部８間における本体１の長さが長くなっている。９は複数個のボタンであり、後身頃３および両布状体５ａ、５ｂに取り付けられ、後身頃３が両布状体５ａ、５ｂに着脱自在に取り付けられている。
【００１３】
そして、図１の釣り用ベストを着用する場合、調節部材７を腰の部分に当接した状態で、左右の前身頃２の裾を引っ張ってファスナー４を締める。この際、図３（イ）、（ロ）に示すように、調節部材７が腰の部分に当接した状態で伸長されることから、調節部材７は、この作用に反して縮もうとするため、左右の前裏地６ａが体にきっちりとフィットする。
【００１４】
このように、後裏地６ｂが調節部材７と一体になって伸縮することによって簡単にウエストサイズの調節を行うことができる。すなわち、従来のように、釣り用上着のウエストサイズを調節する際、ゴム紐を引っ張って裾を絞り、引っ張ったゴム紐をストッパでロックする作業が必要ない。しかも、調節部材７は後身頃３の内側に隠れており、釣糸や釣針が引っ掛かったりすることがない。さらに、従来のように、ウエストサイズの調節による本体１の皺がなく、外観上の見栄えがよい。その上、調節部材７が着用者の腰に当接した状態で伸縮し、左右の前裏地６ａと後裏地６ｂが着用者の体を前後から包み込むようにフィットするため、ポケット等に物を入れた場合の重みによる本体１の揺れが抑制され、腕の動きに対して邪魔にならず、良好に釣りが行える。
そして、従来用いられていたゴム紐やストッパ等の部品点数を削減できる他、紐挿通部を釣り用上着に設ける必要がなく、その分加工が簡単になり、コストを大幅に低減することができる。
さらに、後裏地６ｂが網状で、且つ、後身頃３から離反しているため、左右の前裏地６ａと後裏地６ｂが着用者の体を前後から包み込むようにフィットするにもかかわらず、後身頃３、後裏地６ｂ間における空気の流通がよくなり、夏期あるいは発汗時でも良好な着心地が得られる。さらに、前記釣り用ベストの後身頃３を両前身頃２から取り外すことにより、通気性がより良好になり、汗による蒸れ等を防止することができる。
また、前記形態１の場合、後裏地６ｂの裾の周縁部、すなわち左右の前裏地６ａと後裏地６ｂとの境界部分に設けられた両取付部８間に調節部材７を設けたが、後裏地６ｂの裾の中央部に短尺の調節部材７を設けてもよい。但し、調節部材７は、前記両取付部８間に設けた方が、調節部材７の伸縮量が大きくなり、伸縮幅の拡大の結果、安定したウエストサイズの調節を行うことができる。
【００１５】
＜第二実施形態＞
つぎに、第二実施形態につき、図４および図５を参照しながら説明する。それらの図において、図１と同一符号は同一もしくは相当するものを示し、異なる点は、左右の前裏地６ａおよび後裏地６ｂがなく、左右の前身頃２に後身頃３が縫着されて着脱不可能であり、調節部材７の両端部が、左右の前身頃２と後身頃３の境界部分に縫着されている点であり、この両境界部分の取付部８は、本体１のウエストサイズの調節方向に沿って設けられている。そして、前記調節部材７は、本体１の後身頃３と離反し、前記両取付部８間において伸縮する。また、両取付部８間において、調節部材７の自然長の長さよりも、両取付部８間における後身頃３の長さが長くなっている。
【００１６】
そして、図５に示すように、釣り用ベストを着用する場合、調節部材７を腰の部分に当接した状態で、左右の前身頃２の裾を引っ張ってファスナー４を締めるため、調節部材７が着用者の腰の部分に当接した状態で伸縮し、左右の前身頃２が着用者の体を前方から包み込み体にフィットする一方、後身頃３が背中から離反する。また、両取付部８間において、調節部材７の自然長の長さよりも、両取付部８間における後身頃３の長さが長くなっているため、後身頃３に皺が生じることがない。但し、着用者の体を前後から包み込むようにフィットするには、前記形態１のように、左右の前裏地６ａと後裏地６ｂがあった方がよく、この裏地は体に直接フィットするため網状が好ましい。
【００１７】
なお、前記形態１、２の場合、調節部材の取付部を、左右の前裏地と後裏地との両境界部分、あるいは左右の前身頃と後身頃との両境界部分の２箇所としたが、前記取付部を複数箇所に設けてもよい。この場合、調節部材は、隣り合う取付部間で伸縮する。すなわち、ウエストサイズの調節方向に沿った２つの取付部間において伸縮すればよい。また、調節部材を複数個設けてもよく、例えば、２個の調節部材を、本体の両側の脇の内側に取り付けるようにしてもよい。
また、前記形態１、２の場合、釣り用ベストを例にとって説明したが、本発明は、コート、ブルゾン、ジャケット等の釣り用上着にも適用できるのはいうまでもない。
【００１８】
【発明の効果】
叙上の様に、本発明における釣り用上着は、釣り用上着本体の内側にウエストサイズの調節方向に沿って調節部材が取り付けられ、この調節部材が伸縮できるように、調節方向に沿った２つの取付部間において、前記本体と調節部材とが離反し、且つ、その両取付部間における調節部材の自然長の長さよりも、両取付部間における本体の長さを長くしたため、釣り用上着の皺を防止することができる。
【００１９】
また、左右の前身頃に取り付けた裏地を、前記両前身頃間に取り付けられた後身頃と離反して設け、この裏地を撓ませた状態で調節部材を取り付けたため、裏地が調節部材と一体に伸縮することによってウエストサイズの調節を行うことができる。さらに、左右の前身頃に取り付けられた網状の裏地を、釣り用上着本体の後身頃の内側に、後身頃と離反して設けたため、後身頃、裏地間の空気の流通がよくなり、発汗作用が良好になり、夏期あるいは発汗時でも良好な着心地を得ることができる。
【００２０】
さらに、請求項２記載の釣り用上着は、釣り用上着本体の後身頃を、釣り用上着本体の両前身頃間に着脱自在に取り付けたため、後身頃を両前身頃から取り外すことにより、より通気性を向上することができる。
【図面の簡単な説明】
【図１】本発明の第一実施形態における釣り用ベストを示す斜視図。
【図２】図１の釣り用ベストを後側から見た斜視図。
【図３】（イ），（ロ）は図１の釣り用ベストを着用した状態を左側および後側から見た図。
【図４】本発明の第二実施形態における釣り用ベストを示す斜視図。
【図５】図４の釣り用ベストを着用した状態を左側から見た図。
【図６】従来例の釣り用ベストの斜視図。
【図７】図６の釣り用ベストの裾を絞った場合の斜視図。
【符号の説明】
１…釣り用ベスト本体、２…前身頃、３…後身頃、６ａ…裏地、６ｂ…裏地、７…調節部材、８…取付部。
【図１】
0004308957.tif 000002
【図２】
0004308957.tif 000003
【図３】
0004308957.tif 000004
【図４】
0004308957.tif 000005
【図５】
0004308957.tif 000006
【図６】
0004308957.tif 000007
【図７】
0004308957.tif 000008